【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
多値書込み電流波形を用いる磁気記録のための装置であって、
磁気書込みヘッドと、
前記磁気書込みヘッドによって書き込まれることになるデータ内のパターンを検出し、パターンインジケーター信号を生成するように動作可能なパターン検出回路と、
前記磁気書込みヘッドのための前記多値書込み電流波形を生成するように動作可能な書込みドライバーとを備え、
前記多値書込み電流波形の少なくとも１つの電気的特性は、前記パターン検出回路によって検出された前記パターンに基づく、装置。
【請求項２】
前記磁気書込みヘッドによって書き込まれることになる前記データ内のパターンが、前記磁気書込みヘッドの磁気飽和レベルを表す、請求項１に記載の装置。
【請求項３】
前記書込みドライバーは、前記磁気書込みヘッドの前記磁気飽和レベルが特定の飽和レベルよりも高いときに、書き込まれることになる前記データ内の遷移の第１の書込み電流レベルを生成し、前記磁気書込みヘッドの前記磁気飽和レベルが前記特定の飽和レベルよりも低いときに、第２の書込み電流レベルを生成するように動作可能であり、前記第１の書込み電流レベルが、前記第２の書込み電流レベルよりも大きい、請求項２に記載の装置。
【請求項４】
前記パターン検出回路が、前記磁気書込みヘッドによって書き込まれることになる前記データ内の少なくとも第１のラン長及び第２のラン長を検出するように動作可能である、請求項１に記載の装置。
【請求項５】
前記パターン検出回路は、遷移に先行するデータが第１の持続時間よりも長く変化しないままであるか否か、及び前記遷移に後続するデータが第２の持続時間よりも長く変化しないままになるか否かを検出するように動作可能である、請求項１に記載の装置。
【請求項６】
前記第１の持続時間及び前記第２の持続時間が、前記磁気書込みヘッドによって書き込まれることになる前記データのビット周期を含む、請求項５に記載の装置。
【請求項７】
前記書込みドライバーは、前記遷移に先行する前記データが前記第１の持続時間よりも長く変化しないままではなく、かつ前記遷移に後続する前記データが前記第２の持続時間よりも長く変化しないままであるときに、第１の特性を有する前記多値書込み電流波形を生成するように動作可能であり、
前記書込みドライバーは、前記遷移に先行する前記データが前記第１の持続時間よりも長く変化しないままであり、かつ前記遷移に後続する前記データが前記第２の持続時間よりも長く変化しないままであるときに、第２の特性を有する前記多値書込み電流波形を生成するように動作可能であり、
前記書込みドライバーは、前記遷移に先行する前記データが前記第１の持続時間よりも長く変化しないままではなく、かつ前記遷移に後続する前記データが前記第２の持続時間よりも長く変化しないままでないときに、第３の特性を有する前記多値書込み電流波形を生成するように動可能であり、
前記書込みドライバーは、前記遷移に先行する前記データが前記第１の持続時間よりも長く変化しないままであり、かつ前記遷移に後続する前記データが前記第２の持続時間よりも長く変化しないままでないときに、第４の特性を有する前記多値書込み電流波形を生成するように動作可能であり、
前記第２の特性が前記第１の特性よりも多い電流を送達し、前記第３の特性が前記第２の特性よりも多い電流を送達し、前記第４の特性が前記第３の特性よりも多い電流を送達する、請求項５に記載の装置。
【請求項８】
前記多値書込み電流波形の少なくとも１つの電気的特性は、オーバーシュートパルス振幅、オーバーシュートパルス幅、及びオーバーシュートパルス後の定常電流レベルからなる群から選択される、請求項１に記載の装置。
【請求項９】
前記パターンインジケーター信号は、前記磁気書込みヘッドによって書き込まれることになる前記データが第１のパルス持続時間を有するときを示す第１の信号と、前記書き込まれることになる前記データが第２のパルス持続時間を有するときを示す第２の信号とを含み、前記装置は、前記パターンインジケーター信号に基づいて３値信号を生成するように動作可能である多値差動信号発生器回路を更に備える、請求項１に記載の装置。
【請求項１０】
前記３値信号の状態を求め、前記３値信号の前記状態に基づいて前記書込みドライバーを制御するように動作可能な受信機を更に備える、請求項９に記載の装置。
【請求項１１】
前記受信機が、ゼロクロス検出器及び複数のスライサーを含む、請求項１０に記載の装置。
【請求項１２】
前記パターン検出回路及び前記多値差動信号発生器回路が、チャネル回路内に配置され、前記受信機及び前記書込みドライバーが、前置増幅器回路内に配置される、請求項１０に記載の装置。
【請求項１３】
前記書込みドライバーが、書き込まれることになる前記データ内の遷移において、前記多値書込み電流波形内のオーバーシュートパルスを与えるように動作可能なオーバーシュートパルス発生器を備える、請求項１に記載の装置。
【請求項１４】
前記書込みドライバーが、出力ドライバーブリッジ、及び前記出力ドライバーブリッジに接続される複数の基準電流源を備える、請求項１に記載の装置。
【請求項１５】
前記出力ドライバーブリッジが、前記磁気書込みヘッドを通じて前記多値書込み電流波形を切り替えるように動作可能な複数の電流源を備える、請求項１４に記載の装置。
【請求項１６】
前記複数の電流源がそれぞれ、複数のカレントミラーを備え、前記複数のカレントミラーがそれぞれ、前記基準電流源のうちの１つから前記多値書込み電流波形への電流に寄与する、請求項１５に記載の装置。
【請求項１７】
前記パターン検出回路及び前記書込みドライバーが、前置増幅器回路内に配置され、前記装置は、前記前置増幅器内に、前記磁気書込みヘッドによって書き込まれることになる前記データからクロック信号を再生するように動作可能な位相同期ループを更に備える、請求項１に記載の装置。
【請求項１８】
前記磁気書込みヘッド、前記パターン検出回路及び前記書込みドライバーが、記憶デバイス内に組み込まれる、請求項１に記載の装置。
【請求項１９】
多値書込み電流波形を用いて磁気記憶デバイス内にデータを記録する方法であって、
データ遷移に隣接するデータ系列のラン長に基づいて書込みヘッド内の磁極端の磁化状態を求め、
前記磁極端の前記磁化状態を表す少なくとも１つの信号を生成し、
前記少なくとも１つの信号に基づいて前記書込みヘッドのための前記多値書込み電流波形を生成することを含み、
前記多値書込み電流波形は、前記磁化状態が飽和していないときの前記データ遷移の場合に比べて、前記磁化状態が飽和しているときの前記データ遷移の場合に、より多くの電流を送達する、方法。
【請求項２０】
記憶システムであって、
データセットを保持する記憶媒体と、
前記記憶媒体に前記データセットを磁気的に記録するように動作可能な書込みヘッドと、
遷移に隣接する前記データセット内のラン長を検出するように動作可能なパターン検出回路と、
前記書込みヘッド内のコイルの多値書込み電流波形を生成するように動作可能な書込みドライバーとを備え、
前記多値書込み電流波形の少なくとも１つの電気的特性が、前記パターン検出回路によって検出された前記ラン長に基づいている、記憶システム。
【手続補正２】
【補正対象書類名】明細書
【補正対象項目名】００１９
【補正方法】変更
【補正の内容】
【００１９】
データ系列２０６は、長い先行系列２５０及び長い後続系列２５２を含む。この場合、磁極端は遷移２３２の前に飽和していることになるが、この系列とのバランスを保つのが、長い後続系列２５２である。結果として生成される書込み電流２２４では、従来のオーバーシュート設定が用いられる。データ系列２１０は、短い先行系列２５４及び短い後続系列２５６を含む。この場合、磁極端は遷移２３２の前に飽和していないことになるが、この系列とのバランスを保つのが短い後続系列２５２である。結果として生成される書込み電流２２６では、強力なオーバーシュート設定が用いられる。データ系列２１２は、長い先行系列２６０及び短い後続系列２６２を含む。この場合、磁極端は遷移２３２の前に飽和していることになり、後続系列２６２は短い。これら２つの要因の組み合わせに起因して、結果として生成される書込み電流２３０において、極めて強力なオーバーシュート設定が用いられる。